【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
着用者の背中に沿って熱を放散するように構成されたバックパックであって、
前記背中に接触するように構成された表面を有するバックパック本体と、
前記バックパック本体に取り付けられた空気移動装置であって、この空気移動装置は前記表面に空気流を提供するように配置され、前記表面は前記着用者の前記背中に沿って前記空気流を伝導し、それにより前記着用者の前記背中に沿って熱を放散する、空気移動装置と、を備える、バックパック。
【請求項２】
前記バックパック本体に取り付けられ、前記バックパック本体の外側に突出している充電インターフェースであって、前記充電インターフェースが、外部電気装置に接続され、前記外部電気装置に電力を供給するように構成されている、充電インターフェース、をさらに備える、請求項１に記載のバックパック。
【請求項３】
前記空気移動装置が、
マルチレベル速度調整モジュールと、
各々が前記マルチレベル速度調整モジュールに接続されており、前記マルチレベル速度調整モジュールは、前記複数の第１の送風機の速度を制御するように構成されている、複数の第１の送風機と、を含む、請求項１に記載のバックパック。
【請求項４】
前記空気移動装置は、前記マルチレベル速度調整モジュール及び前記複数の第１の送風機を収容するハウジングを含み、
前記ハウジングが、空洞を含み、前記複数の第１の送風機が、前記空洞と流体連通しており、前記空洞の各々が、前記バックパック本体から突出している空気入口部を有し、前記空洞が、複数の空気吹出口ダクトに接続されており、前記空洞の各々が、前記複数の空気吹出口ダクトのうちの異なる１つに接続されており、前記複数の空気吹出口ダクトが、接合部で一緒に接続されており、空気吹出口が、前記接合部に配置されている、請求項３に記載のバックパック。
【請求項５】
空気案内ダクトが、前記空気吹出口の外側に配置されている、請求項４に記載のバックパック。
【請求項６】
前記マルチレベル速度調整モジュールが、速度制御回路、出力インターフェース、およびスイッチング回路を含み、
前記速度制御回路が、第１の固定接点、第２の固定接点、第３の固定接点、および可動接点を含む、マルチレベルスイッチを含み、
前記可動接点が、第１、第２、および第３の固定接点のうちの１つに選択的に接続可能であり、
前記速度制御回路が、第１の抵抗器および第２の抵抗器を含み、
前記第１の固定接点が、前記第１の抵抗器の第１の端部に接続されており、
前記第１の抵抗器の第２の端部が、前記出力インターフェースに接続されており、
前記第２の固定接点が、前記第２の抵抗器の第１の端部に接続されており、
前記第２の抵抗器の第２の端部が、前記出力インターフェースに接続されており、
前記第３の固定接点が、前記出力インターフェースに接続されており、
前記スイッチング回路が、入力インターフェース、電源入力インターフェース、および複数の送風機出力インターフェースを含み、
前記入力インターフェースが、前記出力インターフェースに接続されており、
前記複数の送風機出力インターフェースが、前記複数の第１の送風機に各々接続されている、請求項３に記載のバックパック。
【請求項７】
前記マルチレベル速度調整モジュールが、インジケータモジュールを含み、
前記インジケータモジュールが、第１の発光ダイオード（「ＬＥＤ」）、第２のＬＥＤ、第３のＬＥＤ、ダイオードＤ１、ダイオードＤ２、ダイオードＤ３、ダイオードＤ４、およびダイオードＤ５を含み、
前記第１の固定接点が、前記ダイオードＤ１のアノードに接続されており、前記ダイオードＤ１のカソードが、前記第１のＬＥＤのアノードに接続されており、前記第１のＬＥＤの前記カソードが、接地されており、
前記第２の固定接点が、前記ダイオードＤ２のアノードに接続されており、前記ダイオードＤ２のカソードが、前記第１のＬＥＤの前記アノードに接続されており、
前記第２の固定接点が、前記ダイオードＤ３のアノードに接続されており、前記ダイオードＤ３のカソードが、前記第２のＬＥＤのアノードに接続されており、前記第２のＬＥＤのカソードが、接地されており、
前記第３の固定接点が、前記ダイオードＤ４のアノードに接続されており、前記ダイオードＤ４のカソードが、前記第１のＬＥＤの前記アノードに接続されており、
前記第３の固定接点が、ダイオードＤ５のアノードに接続されており、前記ダイオードＤ５のカソードが、前記第２のＬＥＤの前記アノードに接続されており、
前記第３の固定接点が、前記第３のＬＥＤのアノードに接続されており、前記第３のＬＥＤのカソードが、接地されている、請求項６に記載のバックパック。
【請求項８】
ショルダーストラップと、
前記ショルダーストラップの１つに配置され、前記マルチレベルスイッチを動作させるように構成されたスイッチと、をさらに備える、請求項６に記載のバックパック。
【請求項９】
ショルダーストラップと、
前記ショルダーストラップの１つに配置される前記マルチレベルスイッチであって、前記第１の固定接点、前記第２の固定接点、および前記第３の固定接点のどれに前記可動接点が接続されるかを決定し、それにより前記空気流の速度を制御する、マルチレベルスイッチと、をさらに備える、請求項６に記載のバックパック。
【請求項１０】
前記表面は、この表面の中に形成された少なくとも１つの空気ダクトを有し、
前記空気移動装置は、前記少なくとも１つの空気ダクトに前記空気流を提供するように配置され、
前記少なくとも１つの空気ダクトは、前記着用者の前記背中に沿って前記空気流を伝導し、
前記バックパック本体が、各々少なくとも１つの吹出口を有する第２の送風機を含み、
前記第２の送風機の各々のうちの前記少なくとも１つの吹出口が、前記少なくとも１つの空気ダクトのうちの少なくとも１つの内部に配置されている、請求項１に記載のバックパック。
【請求項１１】
前記バックパック本体が、第３の送風機、および中空の取っ手を含み、
前記第３の送風機が、吹出口を有し、
前記第３の送風機の前記吹出口が、前記取っ手に接続されており、
前記取っ手が、空気抜きを有する、請求項１に記載のバックパック。
【請求項１２】
前記表面は、この表面の中に形成された少なくとも１つの空気ダクトを有し、
前記空気移動装置は、前記少なくとも１つの空気ダクトに前記空気流を提供するように配置され、
前記少なくとも１つの空気ダクトは、前記着用者の前記背中に沿って前記空気流を伝導する、請求項１に記載のバックパック。
【請求項１３】
前記少なくとも１つの空気ダクトは、覆われていないトレンチ型ダクトである、請求項１２に記載のバックパック。
【請求項１４】
フロントカバーと、
リアカバーと、
前記フロントカバーを前記リアカバーに取り外し可能に接続するように構成されたジッパーと、をさらに備える、請求項１に記載のバックパック。
【請求項１５】
バックパックであって、
空気流を提供するように配置された空気移動装置と、
着用者の背中に前記空気流を送り届けるように構成されており、前記空気流が前記着用者の前記背中に沿って熱を放散する、バックパック本体と、を備える、バックパック。
【請求項１６】
前記空気移動装置に接続され、前記空気移動装置に電力を供給するように構成された電源と、
前記電源に接続され、前記電源から電力を受け取る充電インターフェースであって、前記充電インターフェースが、外部電気装置に接続され、前記外部電気装置に前記電力を供給するように構成されている、充電インターフェースと、をさらに備える、請求項１５に記載のバックパック。
【請求項１７】
前記電源が、前記バックパックから取り外し可能である外部電源である、請求項１６に記載のバックパック。
【請求項１８】
押されたときに前記空気移動装置の速度レベルを決定する、押下可能スイッチを備えるマルチレベル速度調整モジュール、をさらに備える、請求項１５に記載のバックパック。
【請求項１９】
前記バックパック本体は、このバックパック本体の中に形成された少なくとも１つの空気ダクトを有し、
前記空気移動装置は、前記少なくとも１つの空気ダクトに前記空気流を提供するように配置され、
前記少なくとも１つの空気ダクトは、前記着用者の前記背中に沿って前記空気流を送り届けるように構成されている、請求項１５に記載のバックパック。
【請求項２０】
前記空気移動装置は、第１の空気移動装置であり、前記バックパックが、
前記少なくとも１つの空気ダクトに追加の空気流を提供するように構成された少なくとも１つの第２の空気移動装置、をさらに備える、請求項１９に記載のバックパック。
【請求項２１】
少なくとも１つの空気抜き開口部を有する中空の取っ手と、
前記中空の取っ手内に空気を送り届けるように構成された第３の空気移動装置であって、前記中空の取っ手内に送り届けられる前記空気は、前記少なくとも１つの空気抜き開口部を通って前記中空の取っ手から出て、前記少なくとも１つの空気抜き開口部は、前記少なくとも１つの空気抜き開口部から出る前記空気が前記着用者の首に送り届けられるように配置されている、第３の空気移動装置と、をさらに備える、請求項２０に記載のバックパック。
【請求項２２】
前記少なくとも１つの空気ダクトが、前記着用者の前記背中の少なくとも一部に沿って少なくとも部分的に覆われている、請求項１９に記載のバックパック。
【請求項２３】
前記空気移動装置は、第１の空気移動装置であり、前記バックパックが、
少なくとも１つの空気抜き開口部を有する中空の取っ手と、
前記中空の取っ手内に空気を送り届けるように構成された第３の空気移動装置であって、前記中空の取っ手内に送り届けられる前記空気は、前記少なくとも１つの空気抜き開口部を通って前記中空の取っ手から出て、前記少なくとも１つの空気抜き開口部は、前記少なくとも１つの空気抜き開口部から出る前記空気が前記着用者の首に送り届けられるように配置されている、第３の空気移動装置と、をさらに備える、請求項１５に記載のバックパック。
【請求項２４】
フロントカバーと、
リアカバーと、
前記フロントカバーを前記リアカバーに取り外し可能に接続するように構成されたジッパーと、をさらに備える、請求項１５に記載のバックパック。
【請求項２５】
バックパックであって、
下部と、
前記下部に配置されて、空気流を着用者の背中の少なくとも一部に提供して前記着用者を冷却するのを助けるように構成されている、空気移動装置と、を備える、バックパック。
【請求項２６】
前記着用者の前記背中に沿って前記下部から上方に延在する少なくとも１つの空気ダクトであって、この少なくとも１つの空気ダクトは前記空気流の少なくとも一部を前記着用者の前記背中の一部に送り届けて前記着用者を冷却するのを助けるように構成されている、空気ダクトをさらに備える、請求項２５に記載のバックパック。
【請求項２７】
前記少なくとも１つの空気ダクトが、前記着用者の前記背中に適合するように輪郭形成されている、請求項２６に記載のバックパック。
【請求項２８】
前記少なくとも１つの空気ダクトが、前記着用者の前記背中の少なくとも一部に沿って少なくとも部分的に覆われている、請求項２６に記載のバックパック。
【請求項２９】
フロントカバーと、
リアカバーと、
前記フロントカバーを前記リアカバーに取り外し可能に接続するように構成されたジッパーと、をさらに備える、請求項２５に記載のバックパック。